(57)【特許請求の範囲】
【請求項１】
ループ状の外側弾性管状部材と、
該ループ状の外側弾性管状部材の内部に配置された少なくとも１つのループ状の内側弾性部材とを含み、該少なくとも１つの内側弾性部材が中空内部を形成しており、
該少なくとも１つのループ状の内側弾性部材は、それぞれが中空内部を形成している、第１の内側弾性部材及び第２の内側弾性部材を含み、前記ループ状の外側弾性管状部材の周りに取り付けられた装飾エレメントを含み、
前記ループ状の外側弾性管状部材及び前記少なくとも１つのループ状の内側弾性部材は、力が加えられるとそれらの長さに沿って延伸し、かつ前記力が取り除かれるとそれらの元のループ形態に戻ることができ、装身具装置は、単一ループのブレスレットと複数ループの髪留めとの間でコンバーチブルである、装身具装置。
【請求項２】
前記第１の内側弾性部材が、該第１の内側弾性部材の中空内部内に充填材を含む、請求項１に記載の装身具装置。
【請求項３】
前記第１の内側弾性部材及び第２の内側弾性部材のそれぞれが該第１の内側弾性部材及び第２の内側弾性部材の中空内部内に充填材を含む、請求項２に記載の装身具装置。
【請求項４】
前記充填材が充填材ヤーン又はスレッドを含む、請求項３に記載の装身具装置。
【請求項５】
前記充填材が発泡体を含む、請求項３に記載の装身具装置。
【請求項６】
前記外側弾性管状部材内かつ前記内側弾性部材の外部又は内部に配置された少なくとも１つの錘部材を含む、請求項１〜５のいずれか一項に記載の装身具装置。
【請求項７】
前記装飾エレメントが、前記外側弾性管状部材に巻き付けられた鎖部材を含み、該鎖部材が第１の端部セグメント及び第２の端部セグメントと、該第１の端部セグメントと該第２の端部セグメントとの間に配置された中央セグメントとを有しており、少なくとも該第１の端部セグメント及び第２の端部セグメントが該外側弾性管状部材に固定されている、請求項１〜６のいずれか一項に記載の装身具装置。
【請求項８】
複数の固定具を含み、該固定具は前記鎖部材の前記第１の端部セグメント及び第２の端部セグメントに取り付けられ、前記外側弾性管状部材に対して固定されており、各固定具は、該鎖部材の少なくとも２つの隣接する巻きを跨ぐように寸法設定されている、請求項７に記載の装身具装置。
【請求項９】
前記装身具装置が少なくとも１つの錘部材を含み、該錘部材が、前記装飾エレメントに対して前記ループ形態のほぼ直径方向で対向する関係で、前記外側弾性管状部材に取り付けられている、請求項１〜８のいずれか一項に記載の装身具装置。
【請求項１０】
前記外側弾性管状部材及び前記少なくとも１つの内側弾性部材がそれぞれループからなる連続したバンドである、請求項１〜９のいずれか一項に記載の装身具装置。
【請求項１１】
前記外側弾性管状部材及び前記少なくとも１つの内側弾性部材が、単一ループ形態を成して手首に着用され、１つの連続したループからなる複数ループ形態を成してポニーテールの周りに着用されるように寸法設定されている、請求項１〜１０のいずれか一項に記載の装身具装置。
【請求項１２】
コンバーチブルなブレスレット／髪留めにおいて、
該ブレスレット／髪留めが、単一ループのブレスレットと複数ループの髪留めとの間を推移するのに充分な可撓性を有するコンバーチブルな、ループからなる連続したバンドを含み、該コンバーチブルなバンドが、連続するループ状の外側弾性管状部材と、該ループ状の外側弾性管状部材の内部に配置された、連続するループ状の第１の内側弾性部材及びループ状の第２の内側弾性部材とを含み、前記ループ状の第１の内側弾性部材及び前記ループ状の第２の内側弾性部材のうちの少なくとも一方が、充填材が配置された中空内部を画定しており、
該ブレスレット／髪留めが、該ループ状の外側弾性管状部材の外面に固定された装飾エレメントを含み、
前記ループ状の外側弾性管状部材、前記前記ループ状の第１の内側弾性部材及び前記ループ状の第２の内側弾性部材は、力が加えられるとそれらの長さに沿って延伸し、かつ前記力が取り除かれるとそれらの元のループ形態に戻ることができる、コンバーチブルなブレスレット／髪留め。
【請求項１３】
前記装飾エレメントが、前記外側弾性管状部材に巻き付けられた鎖部材を含む、請求項１２に記載のコンバーチブルなブレスレット／髪留め。
【請求項１４】
前記鎖部材の隣接する巻きに固定された複数の固定具を含む、請求項１３に記載のコンバーチブルなブレスレット／髪留め。
【請求項１５】
前記固定具が前記鎖部材の端部セグメントに配置されている、請求項１４に記載のコンバーチブルなブレスレット／髪留め。
【請求項１６】
装身具装置を形成する方法において、
装身具装置のループ状の外側弾性管状部材に装飾エレメントを巻き付け、該装身具装置が該ループ状の外側弾性管状部材の内部に配置された少なくとも１つのループ状の内側弾性部材を含み、
該装飾エレメントの端部セグメントをループ状の外側弾性管状部材に、複数の固定具によって固定することを含み、
前記ループ状の外側弾性管状部材及び前記少なくとも１つのループ状の内側弾性部材は、力が加えられるとそれらの長さに沿って延伸し、かつ前記力が取り除かれるとそれらの元のループ形態に戻ることができ、装身具装置は、単一ループのブレスレットと複数ループの髪留めとの間でコンバーチブルである、装身具装置を形成する方法。
【請求項１７】
前記装飾エレメントが鎖部材を含み、端部セグメントの固定が、該鎖部材の隣接する巻きに対して前記固定具を固定することを含む、請求項１６に記載の方法。
【請求項１８】
端部セグメントの固定が、前記鎖部材の隣接する巻きの周りに前記固定具を縫い付けることを含む、請求項１７に記載の方法。
【発明の詳細な説明】
【技術分野】
【０００１】
本発明は、装身具装置、より具体的には、ブレスレット、アンクレット、及び／又は髪留めとして使用することを含む多様な用途を有するコンバーチブルな装身具装置に関する。
【背景技術】
【０００２】
ファッションアイテム、例えばブレスレット、アンクレット、ヘッドバンド、及びポニーテール・ホルダ又はブレイド・ホルダが当業者によく知られている。これらのアイテムは、弾性バンド、スクランチ（scrunch）、リボン、リングなどを含む。コンベンショナルなブレスレット又はポニーテール・ホルダは、例えば中実のゴムバンド又は織物弾性バンドを含む弾性バンドの形態を成すことがある。コンベンショナルな弾性ブレスレットは、収縮なしに手首に保持されるために最小限の可撓性を示す。他方において、ポニーテール・ホルダを含む髪留め、具体的にはポニーテールの周りで複数回ループを形成するように意図されているポニーテール・ホルダは、毛髪の周りに髪留めを位置決めするのを容易にするために比較的可撓性である。
【０００３】
一般に、従来のブレスレット及び髪留め又はポニーテール・ホルダは、これらの意図された目的においては効果的である。しかしながら、これらの装置は、それぞれの構造に起因して多様な用途に使用することはできない。例えば周知のブレスレットは、弾性タイプのブレスレットでさえも、対象者の手首の周りに、非拘束型の単一ループ形態を維持するのに充分に剛性である。これらのブレスレットの剛性は、毛髪の保持におけるブレスレットの使用を不可能にする。周知の髪留め又はポニーテール・ホルダは毛髪に複数回巻き付けるために可撓性であり、ひいては、ブレスレットとして使用しようとすると、手首上で適切に見えなくなってしまう。
【発明の概要】
【０００４】
従って、本発明は、ブレスレット、アンクレット、ネックレス、又は他のループ型宝飾品の形態を成す第１の状態と、髪留め又はポニーテール・ホルダの形態を成す少なくとも第２の状態とを有するコンバーチブルなファッション装身具に関する。一実施態様では、装身具装置は外側弾性部材と、外側弾性部材の内部に配置された少なくとも１つの内側弾性部材とを含み、この少なくとも１つの内側弾性部材が中空内部を形成している。装身具装置は第１及び第２内側弾性部材を含んでよい。第１内側弾性部材は、第１内側弾性部材の中空内部内に充填材を含んでよい。或いは、第１及び第２内側弾性部材のそれぞれが充填材を含んでもよい。充填材は充填材ヤーン又はスレッド及び／又は発泡体を含んでよい。
【０００５】
装置は、外側弾性部材の周りに取り付けられた装飾エレメントを含んでよい。装飾エレメントは、外側弾性部材に巻き付けられた鎖部材を含んでよい。鎖部材は第１及び第２端部セグメントと、第１端部セグメントと第２端部セグメントとの間に配置された中央セグメントとを有している。少なくとも第１及び第２端部セグメントは外側弾性部材に対して固定されている。鎖部材の第１及び第２端部セグメントに複数のファスナが取り付けられ、ファスナは外側弾性部材に対して固定されてよい。各ファスナは、鎖部材の少なくとも２つの隣接する巻きを跨ぐように寸法設定されていてよい。
【０００６】
装飾エレメント又は外側弾性部材のうちの一方に少なくとも１つの錘部材が取り付けられていてよい。一実施態様では、少なくとも１つの錘部材は、装飾エレメントに対してほぼ直径方向で対向する関係で、外側弾性部材に取り付けられていることにより、装身具装置がブレスレット又はアンクレットとして着用されるときに装飾エレメントが外方に向かって提示されるのが容易になる。
【０００７】
外側弾性部材及び少なくとも１つの内側弾性部材はそれぞれ連続バンドであってよい。外側弾性部材及び少なくとも１つの内側弾性部材は、単一ループ形態を成して手首に着用され、複数ループ形態を成してポニーテールの周りに着用されるように寸法設定されていてよい。
【０００８】
別の実施態様では、コンバーチブルなブレスレット／髪留めが、単一ループのブレスレットと複数ループの髪留めとの間を推移するのに充分な可撓性を有するコンバーチブルな連続バンドを含む。コンバーチブルなバンドは、連続する外側弾性部材と、外側弾性部材の内部に配置された、連続する第１及び第２の内側弾性部材とを含む。第１及び第２の内側弾性部材のうちの少なくとも一方が、充填材が配置された中空内部を形成している。第１及び第２の内側弾性部材のそれぞれが、充填材が配置された中空内部を形成していてよい。一実施態様では、外側弾性部材の周りに装飾エレメントが取り付けられている。装飾エレメントは、外側弾性部材に、例えばらせん状に巻き付けられた鎖部材を含む。
【０００９】
一実施態様では、装身具装置を形成する方法が開示される。この方法は、
装身具装置の外側弾性部材に装飾エレメントを巻き付け、装身具装置が外側弾性管状部材の内部に配置された少なくとも１つの内側弾性部材を含み、
装飾エレメントの端部セグメントを外側弾性部材に、複数のファスナによって固定する
ことを含む。
【００１０】
装飾エレメントは鎖部材を含んでよく、端部セグメントの固定は、例えば鎖部材の隣接する巻きの周りにファスナを縫い付けることによって、鎖部材の隣接する巻きに対してファスナを固定することを含んでよい。
【発明の効果】
【００１１】
装身具装置の外側及び内側弾性部材の構造は、単一ループ形態を維持しながら手首に着用するのに充分な剛性を有し、また髪留め又はポニーテール・ホルダとして機能するように毛髪（例えばポニーテール）の周りにループを形成するのに充分な可撓性を示す装置を提供する。装身具装置は、装置の構造的完全性に影響を及ぼすことなしに、比較的容易に、且つ対象者のために必要とされる手間によって、単一ループ形態と複数ループ形態との間を推移することができる。外側及び内側弾性部材のさらなる詳細及び利点は、下記説明から明らかになる。
【００１２】
本発明の実施態様は図面を参照することにより容易に明らかになる。
【図面の簡単な説明】
【００１３】
【図１】図１は、外側バンドと装飾エレメントとを示す、本発明の原理に基づく装身具装置の斜視図である。
【図２】図２は、外側バンドの一部が取り除かれ、装飾エレメントが概略的に示された、図１の装身具装置の斜視図である。
【図３】図３は、外側バンドの外側弾性部材と、第１及び第２の内側弾性部材とを示す、図２の３−３線に沿った装身具装置の断面図である。
【図４】図４は、装飾エレメントと、外側及び内側弾性部材との関係を示す、図２の４−４線に沿った装身具装置の断面図である。
【図５】図５は、外側弾性部材の周りに装飾エレメントを取り付けるための１つの方法を示す、図１の装身具装置の図である。
【図６】図６は、外側弾性部材に装飾エレメントを固定することを示す拡大図である。
【図７】図７は、対象者の手首の周りに着用されたブレスレットの形態を成す装身具装置を示す図である。
【図８】図８は、対象者のポニーテールの周りに着用されたポニーテール・ホルダの形態を成す装身具装置を示す図である。
【発明を実施するための形態】
【００１４】
最初に図１を参照すると、本発明の原理に基づく装身具装置１０が示されている。装身具装置１０は、種々の機能間で転換又は変化するように構成されている。例えば、装身具装置１０は第１の状態では、リストレット、アンクレット、又はブレスレットの形態を成してよく、第２の状態では、ヘアホルダ又は髪留め（例えばポニーテール・ホルダ又はブレード・ホルダ）の形態を成してよい。装身具装置１０の種々の他のファッション用途も考えられる。図１において、装身具装置は装飾エレメント１００を含んでいる。装飾エレメント１００は、鎖部材、宝石の配列、又はこれに類するものを含む宝飾品であってよい。装飾エレメント１００のさらなる詳細、及び装身具装置の他の構成部分との組み付け又は組み立ての１つの方法を、下でさらに詳細に論じる。
【００１５】
図３〜４の断面図とともに、ここで図２を参照しながら装身具装置１０について論じる。図２〜４には、装身具装置１００は概略的に示されている。装身具装置１０は、外側バンド又は外側弾性部材１４と、少なくとも１つの、例えば２つ又は３つ以上の内側バンド又は内側弾性部材１６とを有する連続バンド１２を含む。外側弾性部材１４はほぼ管状であってよく、内部容積１８を形成する。内部容積は内側弾性部材１６を収容している。１つの実施態様では、外側弾性部材１４は、その標準状態又は静止状態において所定の長さを有する連続バンド又はループである。別の実施態様では、外側弾性部材１４は不連続であり、互いに結合されているか、或いは縫合、接着剤、又はこれに類するものを含むコンベンショナルな手段を介して、連続バンド１２内部で結合されていてよい。外側弾性部材１４は、弾性特性を有する織物又は編組布地を含む数多くの材料から製造されてよく、これにより外側弾性部材１４は、力が加えられるとその長さに沿って延伸し、力が取り除かれるとその所定の長さに戻ることができる。外側弾性部材１４は、不織布材料から構成されてもよく、力が加えられると延伸又は伸長することができる。例えば、一実施態様では、外側弾性部材１４は、合成の、又は天然繊維に由来する有機化学組成物を含む材料から編組物、又は織物として製造されてよい。このような材料は、羊毛、綿、ヘンプ、リネン、ポリエステル、アクリル、ポリエチレン、ポリプロピレン、ナイロン、ポリアミドを含む。
【００１６】
外側弾性部材１４は、円形、楕円形、及び／又は多角形の形態を含む種々の断面形状を定義することができる。図１〜３に示された実施態様では、外側弾性部材１４は円形であり、外径又は断面寸法ＯＤOと内法寸法ＯＤIとを定義している。ＯＤOは約１／８〜約１インチであってよいが、しかし他の寸法も考えられる。外側弾性部材１４の直径又は断面寸法ＯＤOはその全長にわたって一定であってよく、或いはその長さに沿って変化してもよい。内法寸法又は内径ＯＤIは、外側弾性部材１４の壁の厚さに依存する。一実施態様では、内法寸法ＯＤIは、外径ＯＤOよりも僅かに小さい。
【００１７】
内側弾性部材１６はそれぞれほぼ管状であり、中空内部２０を形成してよい。中空内部２０は少なくとも部分的に充填材２２、例えばヤーン、スレッド、及び／又は発泡体のストランドで充填されてよい。好適な充填材２２は、綿、絹、リネン、合成繊維、ポリエチレン発泡体、ポリウレタン発泡体、又はこれに類するものを含む。内側弾性部材１６は、力を加えるとその長さに沿って延伸し、力を取り除くと元のループ形態に戻るように弾性的であってよい。内側弾性部材１６は外側弾性部材１４と同様の（上記）材料から製造されてよい。内側弾性部材１６は連続ループを形成してよく、或いは不連続であり、互いに結合されているか、或いは縫合、接着剤、又はこれに類するものを含むコンベンショナルな手段によって、外側弾性部材１４に結合されていてよい。内側弾性部材１６は種々の断面寸法、又は例えば円形、楕円形、又は多角形を含む種々の断面形状を有してよい。一実施態様では、内側弾性部材１６の組み合わされた断面寸法は、外側弾性部材１４の内部容積１８の断面積、例えば内法寸法ＯＤIの大部分を占める。このことは、装身具装置１０の構造安定性を高め、外側弾性部材１４の半径方向の変形の影響を最小限にすることもできる。図１〜３に示された実施態様では、内側弾性部材１６の断面形状は環状であり、例えば楕円形である。別の実施態様では、それぞれの内側弾性部材１６の断面形状は円形であってもよい。一実施態様では、内側弾性部材１６の断面寸法は外側弾性部材１４の内法断面寸法ＯＤIの約１／２に近似してよく、これにより、両内側弾性部材１６の組み合わされた断面寸法は外側弾性部材１４の内法寸法ＯＤIに近似する。他の寸法、又は断面形状も考えられる。例えば内側弾性部材１６のそれぞれの断面寸法は、外側弾性部材１４の内法断面寸法ＯＤIの約１／２よりも小さくても大きくてもよい。
【００１８】
装身具装置１０の外側及び内側弾性部材１４，１６の構造は、単一ループ形態を維持しながら、対象者の手首又はくるぶしに着用するのに充分な剛性を有し、また髪留め又はポニーテール・ホルダとして機能するように毛髪（例えばポニーテール）の周りに２回又は３回以上ループを形成するのに充分な可撓性を示す装置を提供する。充填材２２の有無とは無関係に、外側及び内側１４，１６の管状又は中空の形態は、毛髪への使用のためのループ形成過程中に装身具装置１０に加えられる力に順応し、これを補償し、且つ／又は調節し、力が取り除かれると、その標準的な所定の安定な（例えば比較的剛性の）単一ループ形態にいかなる変形も伴わずに推移し、又は戻ることになる、と考えられる。さらに、装身具装置１０は、比較的容易に、且つ対象者のために必要とされる手間によって、単一ループ形態と複数ループ形態との間を直ちに推移することができる。内側弾性部材１６は、装身具装置の単一ループ状態の完全性を維持するために、外側弾性部材１４に対する支持体を提供する。他方において、内側弾性部材１６のそれぞれの中空断面は、装身具装置１０がそれ自体の上にループを形成されたときに変形されることになる材料の体積を低減し、ひいては毛髪の周りでの操作及び装着を容易にする。
【００１９】
上記のように、装身具装置１０は装飾エレメント１００を含んでもよい。装飾エレメントは一実施態様では、外側弾性部材１４の外面に取り付けられている。装飾エレメント１００は外側弾性部材１４に固定されてよく、或いは、外側弾性部材１４に沿った往復運動を可能にする形で取り付けられてもよい。再び図１を参照すると、１つの好ましい実施態様において、装飾エレメント１００は鎖部材の形態を成す宝飾品又は装飾品である。鎖部材は、外側弾性部材１４の外面に例えばらせん状に巻き付けられる。オーバーラップ配置、ジグザグ、又はこれに類する物を含む他の鎖配向も考えられる。鎖部材は中実であるか、又はその長さに沿ってループ又は開口１０２を含んでもよい。鎖部材は外側弾性部材１４に巻き付けられるように、毛髪の周りに利用する際に装身具装置１０を複数ループ形態へ推移するのを妨害しないように充分な可撓性を有している。開口１０２は鎖部材の可撓性特性を高めることができる。
【００２０】
図５〜６を参照すると、１つの組み立て方法において、鎖部材の形態を成す装飾エレメント１００は一方の端部１０４で保持又は固定されるのに対して、他方の端部１０６は、鎖部材が外側弾性部材１４の周りに例えばらせん状に、少なくとも部分的又は完全に巻き付けられるまで、図５の方向矢印「ｋ」の方向で外側弾性部材１４の周りにループ形成される。図６の拡大図に示された１つの実施態様では、複数のファスナ１０８は、外側弾性部材１４の周面に沿って、鎖部材の隣接するループセグメント「ａ１」，「ａ２」，「ａ３」，「ａ４」などを通して固定されている。ファスナ１０８は、隣接するループセグメント（「ａ１」、「ａ２」、「ａ３」、「ａ４」．．．）の外面の周りに交互に配置されてよく、或いは鎖部材の開口１０２を通して固定されてよい。１つの方法において、隣接するループセグメント（「ａ１」、「ａ２」、「ａ３」、「ａ４」．．．）の外面の周りに半径方向に間隔を置いて、例えば３０°、４５°、６０°，９０°、又は１２０°の間隔で、複数のファスナ１０８を固定することができる。他の間隔も考えられる。１つのファスナ１０８が２つよりも多くのループセグメント「ａ１」、「ａ２」、「ａ３」を取り囲むこと、例えば３つ又は４つ以上のループセグメントを跨ぐことも考えられる。他の配列も考えられる。一実施態様では、各端部１０４，１０６の鎖部材の端部１０４，１０６（例えば最初の３つのループ「ａ１」、「ａ２」、「ａ３」）だけが固定され、これに対して鎖部材の中央区分１１０は固定されない。他の実施態様では、ファスナ１０８は鎖部材の長さに沿って配置されてよい。採用されるファスナ１０８は、単一ループ形態と複数ループ形態との間で装身具装置が複数回にわたって推移する間、鎖部材を外側弾性部材１４上に保持するのに充分な剛性を有する任意の材料を含んでよい。例えば、ファスナ１０８はスレッド又はフィラメントから形成され、天然材料又は合成材料、例えばナイロン又はこれに類するものから成っていてよい。ファスナ１０８はコンベンショナルな手段を介して、少なくとも外側弾性部材１４を通して縫い付けられてよい。ファスナ１０８は全体的又は部分的に透明であってよい。
【００２１】
他の実施態様では、装飾エレメント１００は環状スリーブを含んでいてよい。環状スリーブは外側弾性部材１４を少なくとも部分的に又は完全に取り囲む。スリーブは、布地、エラストマー、及び／又は金属材料から製造されてよく、装身具装置１０の視覚効果を高めるために外側弾性部材１４の外観とのコントラストを成してよい。装飾エレメント１００のスリーブの少なくとも一部、又は全体は、対象者の手首、くるぶし、及び／又は毛髪の周りにおける位置決めを可能にするように可撓性であってよい。別の実施態様では、対象者のポニーテール又は毛髪の周りで装身具装置１０をループ形成するのを妨害するほどには装飾エレメント１００が大型でないことを条件として、装飾エレメント１００は剛性であってもよい。
【００２２】
図２〜４を引き続き参照すると、装身具装置１０はさらに、少なくとも１つの一次錘部材２４を含んでよい。一次錘部材２４は外側弾性部材１４及び／又は内側弾性部材１６の内部に埋め込まれてよい。一実施態様では、一次錘部材２４は外側弾性部材１４の内面に固定されている。一次錘部材２４は金属、織物、又はポリマー材料を含む任意の材料から製造されてよい。一次錘部材２４は、装身具装置１０のループ形成を妨害しないように可撓性であってよく、或いは剛性であってもよい。剛性の錘部材は装身具装置１０の操作を妨害しないように寸法が小さくなると考えられる。一実施態様では、一次錘部材２４は、装飾エレメント１００に対してほぼ直径方向で対向する関係で位置決めされている。この位置において、一次錘部材２４は、装身具装置１０が手首に緩く位置決めされたときに、装飾エレメント１００を外方に向けるのを容易にすることができる。装身具装置１０は任意には、一次錘部材２４に対して１８０°の間隔、又は９０°の間隔で位置決めされた補足錘部材２６を含んでいてもよい。補足錘部材２６もまた、装飾エレメント１００が外方に向かって提示されるのを容易にすることができる。別の実施態様では、装身具装置１０は錘部材を有さなくてもよく、それでもなお所望の通りに動作することができる。さらに別の実施態様として、装飾エレメント１００の内部に、又はこれに隣接して錘部材を取り付けることもできる。
【００２３】
図７は装身具装置１０を、リストレット又はブレスレットとして対象者の手首「ｗ」に位置決めされた第１の状態、例えば単一ループ形態で示している。装身具装置１０は、装飾エレメント又は鎖部材１００が可視化のために手のひらから離れる方向に外方に向くように位置決めすることができる。一次及び／又は補足錘部材２４，２６は、上述のように装飾エレメント１００が外方に向けられるのを容易にすることができる。単一ループ形態において、装身具装置１０は、上述の中空の外側及び内側弾性部材１４，１６の構造特性によってもたらされるような座屈、圧潰、又はこれに類するものを生じさせることなしに、その所定のループを維持するのに充分に剛性である。
【００２４】
図８は装身具装置１０を、ポニーテール・ホルダ又は髪留めとして対象者の毛髪「ｈ」の周りに位置決めされた第２の状態、例えば複数ループ形態で示している。上述のように、装身具装置１０は、外側及び内側弾性部材１４，１６の構造によって容易にループ形成される。装飾エレメント１００は可視化のために外方に向くように配置されていてよい。
【００２５】
本明細書中に具体的に記載され、添付の図面に示された装置及び方法が非制限的な模範実施態様であることは当業者には明らかである。１模範実施例との関連において図示又は記載されたエレメント及び特徴を、本発明範囲から逸脱することなしに別の実施態様のエレメント及び特徴と組み合わせることが考えられる。さらに、上記実施態様に基づく開示内容のさらなる特徴及び利点も当業者には明らかとなる。従って、開示内容は具体的に図示され記載されたものによって制限されるべきではない。
【図１】
0006374425.tif 000002
【図２】
0006374425.tif 000003
【図３】
0006374425.tif 000004
【図４】
0006374425.tif 000005
【図５】
0006374425.tif 000006
【図６】
0006374425.tif 000007
【図７】
0006374425.tif 000008
【図８】
0006374425.tif 000009